(57)【要約】      （修正有）【課題】シート状媒体のジャムリングの発生を防止する。【解決手段】媒体処理装置は、シート状媒体を堆積させながら収納する媒体収納部と、前記媒体収納部に収納された前記シート状媒体を押圧する第１押圧部材と、前記媒体収納部に収納された前記シート状媒体の堆積厚が所定以上となった際に、前記第１押圧部材と協働して前記シート状媒体を押圧する第２押圧部材と、を備えたことを特徴とする。【選択図】図２
2019091136.tif 000002
【特許請求の範囲】
【請求項１】
シート状媒体を堆積させながら収納する媒体収納部と、
前記媒体収納部に収納された前記シート状媒体を押圧する第１押圧部材と、
前記媒体収納部に収納された前記シート状媒体の堆積厚が所定以上となった際に、前記第１押圧部材と協働して前記シート状媒体を押圧する第２押圧部材と、を備えたことを特徴とする媒体処理装置。
【請求項２】
請求項１に記載の媒体処理装置において、
前記第１押圧部材と前記第２押圧部材とが同一軸心に配置され、
前記第１押圧部材と前記第２押圧部材とが、それぞれ前記軸心の軸方向の異なる位置に配置されていることを特徴とする媒体処理装置。
【請求項３】
請求項１または請求項２に記載の媒体処理装置において、
前記シート状媒体が前記媒体収納部に収納されていない状態において、
前記第２押圧部材は、前記第１押圧部材よりも前記シート状媒体が前記媒体収納部に堆積する堆積方向に配置されることを特徴とする媒体処理装置。
【請求項４】
請求項１から請求項３のいずれか一項に記載の媒体処理装置において、
前記第１押圧部材及び前記第２押圧部材の前記シート状媒体の収納方向下流側に、さらに前記シート状媒体を押圧する第３押圧部材を備えたことを特徴とする媒体処理装置。
【発明の詳細な説明】
【技術分野】
【０００１】
本発明は、媒体処理装置に関する。
【背景技術】
【０００２】
従来、磁気インク文字が印刷されているシート状媒体を搬送する搬送路と、前記搬送路を搬送されるシート状媒体の画像を読み取る画像読取ヘッドと、前記搬送路を搬送されるシート状媒体の磁気インク文字を読み取る磁気ヘッドと、前記搬送路を経由した後のシート状媒体が排出される排出部と、を備えたシート状媒体処理装置が知られている（例えば、特許文献１参照）。
なお、上記装置の排出部には、搬送されたシート状媒体を一方方向に押圧する押さえ板が設けられている。
【先行技術文献】
【特許文献】
【０００３】
【特許文献１】特開２０１０−２６６８２号公報
【発明の概要】
【発明が解決しようとする課題】
【０００４】
しかしながら、上記装置の排出部において、搬送され堆積していくシート状媒体の堆積総厚が厚くなっていくと、堆積したシート状媒体全体を確実に押圧しきれなくなる。そうすると、例えば、排出部に堆積する最上方のシート状媒体の位置がずれてしまい、当該シート状媒体の最後端部と新たに搬送されたシート状媒体の先頭端部とが衝突してジャムリングが発生してしまう、という課題があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる媒体処理装置は、シート状媒体を堆積させながら収納する媒体収納部と、前記媒体収納部に収納された前記シート状媒体を押圧する第１押圧部材と、前記媒体収納部に収納された前記シート状媒体の堆積厚が所定以上となった際に、前記第１押圧部材と協働して前記シート状媒体を押圧する第２押圧部材と、を備えたことを特徴とする。
【０００７】
この構成によれば、媒体収納部に収納されるシート状媒体の堆積厚が所定以上となった場合に、第１押圧部材と第２押圧部材とが協働してシート状媒体を押圧する。すなわち、シート状媒体の堆積厚に応じて段階的にシート状媒体を押圧する押圧力を高めていくことが可能となる。これにより、媒体収納部に収納されるシート状媒体の堆積厚が比較薄い場合には、シート状媒体に対して比較的弱い押圧力で押圧することで、シート状媒体の腰折れ等によるジャムリングの発生を低減することができる。一方、媒体収納部に収納されるシート状媒体の堆積厚が厚くなった場合には、シート状媒体全体にはより高い負荷が掛かかるので、シート状媒体が確実に媒体収納部に収納される。従って、媒体収納部におけるシート状媒体のジャムリングの発生を低減させることができる。
【０００８】
［適用例２］上記適用例にかかる媒体処理装置は、前記第１押圧部材と前記第２押圧部材とが同一軸心に配置され、前記第１押圧部材と前記第２押圧部材とが、それぞれ前記軸心の軸方向の異なる位置に配置されていることを特徴とする。
【０００９】
この構成によれば、第１押圧部材と第２押圧部材とが同一軸心に配置されるため、装置構造を小型化または簡略化することができる。
【００１０】
［適用例３］上記適用例にかかる媒体処理装置は、前記シート状媒体が前記媒体収納部に収納されていない状態において、前記第２押圧部材は、前記第１押圧部材よりも前記シート状媒体が前記媒体収納部に堆積する堆積方向に配置されることを特徴とする。
【００１１】
この構成によれば、シート状媒体が媒体収納部に収納されていない状態では、第１押圧部材と第２押圧部材との配置位置を異ならせることにとより、媒体収納部に収納されたシート状媒体の堆積厚が所定以上となった際に、効率良く第１押圧部材と第２押圧部材とを協働させることができる。
【００１２】
［適用例４］上記適用例にかかる媒体処理装置は、前記第１押圧部材及び前記第２押圧部材の前記シート状媒体の収納方向下流側に、さらに前記シート状媒体を押圧する第３押圧部材を備えたことを特徴とする。
【００１３】
この構成によれば、媒体収納部に収納されたシート状媒体に対して押圧する箇所が増えるため、より確実にシート状媒体全体を押圧することができる。これにより、さらにジャムリングを低減させることができる。
【図面の簡単な説明】
【００１４】
【図１】媒体処理装置の構成を示す斜視図。
【図２】媒体処理装置の構成を示す平面図。
【図３】媒体収納部の構成を示す概略図。
【図４Ａ】媒体処理装置の動作方法を示す説明図。
【図４Ｂ】媒体処理装置の動作方法を示す説明図。
【図４Ｃ】媒体処理装置の動作方法を示す説明図。
【図４Ｄ】媒体処理装置の動作方法を示す説明図。
【図５】変形例にかかる媒体処理装置の構成を示す概略図。
【発明を実施するための形態】
【００１５】
以下、本発明の実施形態について、図面を参照して説明する。
【００１６】
まず、媒体処理装置の構成について説明する。
図１は媒体処理装置の構成を示す斜視図であり、図２は媒体処理装置の構成を示す平面図である。なお、本実施形態では、媒体処理装置の一例として、シート状媒体としての小切手を処理する小切手処理装置の構成について説明する。
【００１７】
図１及び図２に示すように、小切手処理装置１は、装置本体側の本体ケース２と、本体ケース２の先端部に取り付けた垂直軸３を中心として左右に開閉可能な開閉カバー４，５とを備えている。本体ケース２と開閉カバー４，５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は媒体収納部としての小切手収納部１０に繋がっている。小切手収納部１０は、小切手搬送路７の下流端に繋がっている細幅の垂直溝からなる第１および第２分岐通路１１，１２と、これらの下流端に繋がっている第１収納ポケット１３（媒体収納部）および第２収納ポケット１４と、小切手６をいずれの収納ポケット１３，１４に排出するのかを切り換えるための切換レバー１５とを備えている。
【００１８】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００１９】
小切手供給部９には、ここに、束になった状態で挿入された小切手６を、小切手送り出し通路８を介して一枚ずつ小切手搬送路７に送り出すための小切手送り出し機構が組み込まれている。小切手送り出し機構は、図２において破線で示すように、小切手供給部９に挿入された小切手６を、小切手送り出し通路８に送り出すためのピックアップローラー１６と、小切手６をピックアップローラー１６に押し付けるための押し付け部材１７を有している。また、小切手送り出し通路８に沿って送り出される小切手６を１枚ずつに分離して小切手搬送路７に送り出すために、分離パッド１８と、リタードローラー式の分離部１９を備えた分離機構を有している。
【００２０】
小切手搬送路７には、図２において破線で示すように、小切手６の表面画像を読み取るための表面側コンタクトイメージスキャナー２１、その裏面画像を読み取るための裏面側コンタクトイメージスキャナー２２、その磁気インク文字を読み取るための磁気ヘッド２３、その表面に「電子決済済み」などの印刷を行う印刷機構２４が、この順序に配置されている。また、小切手搬送路７に沿って小切手６を搬送するための搬送機構（図示せず）が組み込まれている。搬送機構は、搬送用のモーターと、小切手搬送路７に沿って配置された複数の搬送ローラーと、モーターの回転力を各搬送ローラーに伝達するための駆動ベルトなどを備えた構成とすることができる。
【００２１】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。そして、例えば、これらの情報が正常に読み取られた小切手６は、「電子決済済み」などの印刷が行われた後に、第１収納ポケット１３に振り分けられて、そこに収納される。一方、読取不能、読取異常などが発生した小切手６については、そのような印刷が行われることなく、第２収納ポケット１４に振り分けられて、そこに収納されるようになっている。
【００２２】
また、小切手収納部１０では、第１及び第２収納ポケット１３，１４の後端部分が、後方に引き出し可能な引き出し部２０によって規定されている。この引き出し部２０を図１に示す状態から後方に引き出すと、各収納ポケット１３，１４が前後方向に延びる。これにより、より長い寸法の小切手６を受け入れて収納することができる。
【００２３】
次に、小切手収納部１０の詳細な構成について説明する。
図３は媒体収納部としての小切手収納部を示した概略図（斜視図）である。
【００２４】
図３に示すように、小切手収納部１０は、第１分岐通路１１および第２分岐通路１２と、これらの下流端に繋がっている第１および第２収納ポケット１３，１４を備えている。なお、第１および第２収納ポケット１３，１４はほぼ同様の構成を備えているので、第１収納ポケット１３を説明して、対応する構成には同一の符号を付して第２収納ポケット１４の説明を省略する。
【００２５】
第１収納ポケット１３は前後方向に長い長方形をした所定深さの溝からなり、平行に延びている左右の第１及び第２側板３１，３２、前端板３３および底板３５を備えている。第２側板３２の前端側部分には前端板３３に向かうに連れて第１側板３１から離れる方向に広がっている傾斜ガイド面３６が形成されている。この傾斜ガイド面３６の上流側は第１分岐通路１１の一方の内壁面３７に連続している。
【００２６】
前端板３３の傾斜ガイド面３６側の隣には、小切手６を第１収納ポケット１３へ送り込むための送り込みローラー４０が配置されている。送り込みローラー４０に対峙する第１分岐通路１１の一方の内壁面３７からは、送り込みローラー４０に小切手６を押し付けるための押さえローラー４５が配置されている。
【００２７】
第１収納ポケット１３の内部には、送り込みローラー４０および押さえローラー４５によって送り込まれている状態の小切手６を第１側板３１の側に案内するとともに、送り込みが終了した小切手６を第１側板３１側に押圧（押し付け）して、小切手６を立てた状態で堆積（保持）させるための板状の第１押圧部材５１ａ及び第２押圧部材５１ｂを備えている。
【００２８】
さらに、第１押圧部材５１ａ及び第２押圧部材５１ｂの小切手６の収納方向下流側には、上記同様の押圧機能を有する板状の第３押圧部材５２が配置されている。第１押圧部材５１ａ、第２押圧部材５１ｂ及び第３押圧部材５２の設置により、第１収納ポケット１３の内に収納される小切手６に対して押圧する箇所が増えるため、より確実に小切手６を押圧することができる。なお、小切手６の収納方向とは、送り込みローラー４０および押さえローラー４５から引き出し部２０に向かう方向をいう。
ここで、第１押圧部材５１ａ、第２押圧部材５１ｂ及び第３押圧部材５２における小切手６の第１側板３１方向に押圧する押圧機能（付勢機能）としては、例えば、ばね部材が適用される。従って、第１収納ポケット１３に収納される小切手６は、第１押圧部材５１ａ、第２押圧部材５１ｂ及び第３押圧部材５２により、第１側板３１方向に押圧される。
なお、本実施形態では、第１押圧部材５１ａ、第２押圧部材５１ｂ及び第３押圧部材５２に適用される各ばねの初期モーメントはほぼ同等である。
【００２９】
第１押圧部材５１ａ、第２押圧部材５１ｂ及び第３押圧部材５２は、第２側板３２に対し、第１側板３１に向けて後方に所定の角度で傾斜するように取り付けられており、第２側板３２の側の端部分を回動中心として第１側板３１へ接近する方向および離れる方向へ回動するようになっている。
【００３０】
第１押圧部材５１ａと第２押圧部材５１ｂとは同一の軸心５０に配置されており、同軸心５０を回動中心として回動可能となっている（図２参照）。このような構造により小切手処理装置１を小型化または簡略化することができる。そして、第１押圧部材５１ａと第２押圧部材５１ｂとが、それぞれ軸心５０の軸方向の異なる位置に配置されている。
具体的には、小切手６が第１収納ポケット１３に収納されていない状態において（図２参照）、第２押圧部材５１ｂは、第１押圧部材５１ａよりも小切手６が第１収納ポケット１３に堆積する堆積方向に配置される。ここで、堆積方向とは、第１側板３１側から第２側板３２側に向かう方向である。すなわち、小切手６が第１収納ポケット１３に収納されていない状態において、第２押圧部材５１ｂの先端部は、第１押圧部材５１ａの先端部よりも第２側板３２側に配置されている。
換言すれば、第２側板３２の面と当該第２側板３２の面と対向する第１押圧部材５１ａの面とで成す角度よりも、第２側板３２の面と当該第２側板３２の面と対向する第２押圧部材５１ｂの面とで成す角度の方が小さい。
【００３１】
そして、第１収納ポケット１３に収納された小切手６の堆積厚が所定以上となった際に、第１押圧部材５１ａと第２押圧部材５１ｂとが協働して小切手６を第１側板３１側に押圧する。すなわち、第１収納ポケット１３に収納された小切手６の堆積厚が所定以上となった際、小切手６に対する押圧力を高くする。なお、堆積厚における所定以上の厚みとは、小切手６の枚数に限らず、第１押圧部材５１ａのみで十分に小切手６を第１側板３１側に押圧できなくなる程度の総厚みをいう。従って、第１収納ポケット１３の小切手６の収納可能容量、第１収納ポケット１３における小切手６の収納可能枚数、第１押圧部材５１ａや第２押圧部材５１ｂに用いられるばね定数等によって適宜設定可能である。
【００３２】
次に、小切手処理装置１の動作方法について説明する。なお、本実施形態では、第１収納ポケット１３への小切手６の送り込み動作について説明する。
図４Ａから図４Ｄは小切手処理装置（媒体処理装置）の動作方法を示す説明図である。
【００３３】
図４Ａに示すように、まず、小切手６が第１分岐通路１１に搬送されてくると、小切手６は回転している送り込みローラー４０と押さえローラー４５との間に挟み込まれ、第１収納ポケット１３に向けて送り込まれる。具体的には、ニップ部Ａを通過した小切手６は傾斜ガイド面３６に沿って案内されて送り込み方向Ｂ（収納方向）に向けて進んでいく。
【００３４】
そして、図４Ｂに示すように、小切手６が傾斜ガイド面３６の角部から第１収納ポケット１３内を第１側板３１の側に向って進入し、第１収納ポケット１３内に収納される。この際、第１収納ポケット１３内に収納された小切手６は第１押圧部材５１ａによって押圧される。小切手６は、第１押圧部材５１ａ及び第３押圧部材５２の押圧によって第１収納ポケット１３内で保持される。
【００３５】
次いで、図４Ｃに示すように、さらに小切手６が搬送される第１収納ポケット１３に収納されると、小切手６は堆積方向（第１側板３１から第２側板３２へ向かう方向）に堆積していく。このとき、第１押圧部材５１ａは、軸心５０を回動して第２側板３２側へ移動しつつ小切手６を押圧する。
【００３６】
次いで、図４Ｄに示すように、さらに、小切手６が搬送される第１収納ポケット１３に収納され、第１収納ポケット１３内に収納された小切手６の堆積厚が所定以上となると、ついに第１押圧部材５１ａの位置が第２押圧部材５１ｂの位置を同じ位置に達する。そうすると、第１押圧部材５１ａと第２押圧部材５１ｂとが協働して小切手６を押圧する。
すなわち、第１収納ポケット１３に堆積する小切手６の堆積厚が比較的薄い場合は、第１押圧部材５１ａのみで堆積する複数枚の小切手６を第１側板３１に十分押圧することができる。しかしながら、第１収納ポケット１３に堆積する小切手６の堆積厚が徐々に厚くなっていくと、第１押圧部材５１ａにかかる負荷も大きくなっていき、堆積する小切手６を第１側板３１側に十分押圧することが困難になっていく。そうすると、例えば、第１収納ポケット１３に搬送された最上方の小切手６が第１押圧部材５１ａの押圧不足により、より収納方向下流側にずれて収納される場合がある。この場合、当該小切手６の収納方向上流端部と新たに搬送された小切手６の下流端部とが衝突してジャムリングが発生する傾向にある。
【００３７】
そこで、本実施形態では、図４Ｄに示すように、第１収納ポケット１３に堆積する小切手６の堆積厚が所定の厚み以上になった場合、第１押圧部材５１ａと第２押圧部材５１ｂとで小切手６を押圧する。すなわち、第１押圧部材５１ａのみで小切手６を押圧する押圧力以上の押圧力で小切手６を押圧する。例えば、第１押圧部材５１ａと第２押圧部材５１ｂとによる押圧力は、第１押圧部材５１ａによる押圧力のほぼ倍の力である。従って、第１収納ポケット１３内に収納された小切手６の堆積厚に対応して確実に小切手６を押圧することができる。
【００３８】
また、図４Ａから図４Ｃに示すように、初期状態では、第１押圧部材５１ａと第２押圧部材５１ｂの配置位置が異なる。すなわち、第１押圧部材５１ａと第２押圧部材５１ｂとでは小切手６に対して押圧するタイミングが異なる。具体的には、まず、第１押圧部材５１ａのみで小切手６を押圧し、小切手６の堆積厚が所定以上となったときに（図４Ｄ参照）、第１押圧部材５１ａと第２押圧部材５１ｂとが協働し、より大きな力で小切手６を押圧する。
すなわち、初期状態では、第１押圧部材５１ａのみで比較的弱い力で小切手６を押圧する。これにより、搬送された小切手６の座屈等の変形が抑えられ、搬送性及び収納性を向上させることができる。一方、小切手６の堆積厚が所定以上となると、第１押圧部材５１ａのみでは小切手６を抑えることが困難となるため、第１押圧部材５１ａと第２押圧部材５１ｂとで押圧することで、搬送性及び収納性を向上させる。つまり、第１収納ポケット１３に収納され堆積する小切手６の堆積厚に応じて段階的に押圧力を変えることにより小切手６が確実に収納可能となる。
【００３９】
以上、本実施形態によれば、以下の効果を得ることができる。
【００４０】
第１収納ポケット１３に堆積する小切手６の堆積厚に応じて押圧力を段階的に変更可能とした。すなわち、第１収納ポケット１３に堆積する小切手６の堆積厚が所定未満の厚みの場合は、第１押圧部材５１ａのみで小切手６を押圧する。これにより、小切手６の座屈等の変形を抑え、小切手６を効率良く第１収納ポケット１３に収納させることができる。一方、第１収納ポケット１３に堆積する小切手６の堆積厚が所定以上の厚みとなった場合は第１押圧部材５１ａと第２押圧部材５１ｂとで押圧する。これにより、小切手６に対して押圧する力が大きくなり、小切手６を確実に収納させることができる。これにより、ジャムリング等の発生を低減することができる。
【００４１】
なお、本発明は上述した実施形態に限定されず、上述した実施形態に種々の変更や改良等を加えることが可能である。変形例を以下に述べる。
【００４２】
（変形例１）上記実施形態では、収納方向上流側にのみに第１押圧部材５１ａと第２押圧部材５１ｂとを設けたが、この構成に限定されない。例えば、第３押圧部材５２を分割して、上記同様に複数（２つ）の押圧部材を設けてもよい。このようにすれば、小切手６全体を効率良く押圧することができる。
また、収納方向上流側を一つの押圧部材として、収納方向下流側の押圧部材を複数としてもよい。このようにしても上記同様の効果を得ることができる。
【００４３】
（変形例２）上記実施形態では、媒体収納部として第１収納ポケット１３を説明したが、第２収納ポケット１４についても第１収納ポケット１３同様の構成としてもよい。このようにすれば、第１収納ポケット１３及び第２収納ポケット１４において小切手６のジャムリングの発生を抑制することができる。
【００４４】
（変形例３）上記実施形態では、同一の軸心５０に第１押圧部材５１ａと第２押圧部材５１ｂとが上下方向のそれぞれに配置された構成としたが、これに限定されない。例えば、第１押圧部材５１ａと第２押圧部材５１ｂとを軸心５０を回動移動させた際に、第１押圧部材５１ａの一部と第２押圧部材５１ｂ一部とが当接可能な構成であってもよい。
図５は、本変形例にかかる媒体処理装置の構成を示す概略図であり、第１押圧部材５１ａ及び第２押圧部材５１ｂの構成を示している。なお、図５は、第１側板３１側から第２側板３２側を見た図である。図５に示すように、同一の軸心５０に第１押圧部材５１ａと第２押圧部材５１ｂとが配置される。そして、第１押圧部材５１ａの内側（軸心５０を含む位置）には開口５１０が形成され、第１押圧部材５１ａの開口５１０に対応する位置に第２押圧部材５１ｂが配置されている。また、第２押圧部材５１ｂの長手方向における一方端部は第１押圧部材５１ａの一部と重なるように形成される。
そして、小切手６が第１収納ポケット１３に収納されていない状態において、第２押圧部材５１ｂは、第１押圧部材５１ａよりも小切手６が第１収納ポケット１３に堆積する堆積方向に配置される。そして、第１収納ポケット１３に収容された小切手６の堆積厚が所定以上となった際に、第２押圧部材５１ｂが第１押圧部材５１ａを押圧することにより、第１押圧部材５１ａと第２押圧部材５１ｂとが協働して小切手６を押圧する。このようにしても、上記同様の効果を得ることができる。
【符号の説明】
【００４５】
１…小切手処理装置（媒体処理装置）、６…小切手（シート状媒体）、９…小切手供給部、１０…小切手収納部（媒体収納部）、１１…第１分岐通路、１２…第２分岐通路、１３…第１収納ポケット（媒体収納部）、１４…第２収納ポケット、１５…切換レバー、３１…第１側板、３２…第２側板、５０…軸心、５１ａ…第１押圧部材、５１ｂ…第２押圧部材、５２…第３押圧部材。
【図１】
2019091136.tif 000003
【図２】
2019091136.tif 000004
【図３】
2019091136.tif 000005
【図４Ａ】
2019091136.tif 000006
【図４Ｂ】
2019091136.tif 000007
【図４Ｃ】
2019091136.tif 000008
【図４Ｄ】
2019091136.tif 000009
【図５】
2019091136.tif 000010